(57)【要約】【課題】各手袋の電極に供給されるパルス性の電流を左右の手袋で所定のタイミングで通電可能とすることにより、多様な電気信号を筋肉に与えることを可能とした電極付手袋を提供する。【解決手段】  一対の手袋において、一方の手袋本体に取り付けられた前記操作部が、他方の手袋本体の前記操作部へ他方の手袋本体の電極への給電及び給電モードの制御信号を送信する送信部を備え、他方の手袋本体に取り付けられた前記操作部が、前記制御信号を受信する受信部を備え、前記制御信号に対応して他方の手袋本体の電極への給電及び給電モードの制御を行う。【選択図】図１Ａ
2013208360.tif 000002
【特許請求の範囲】
【請求項１】
それぞれ少なくとも表面の一部に導電材料で形成された電極を有する一対の手袋本体と前記手袋本体に取り付けられ前記電極への給電及び給電モードの制御を行う操作部とを備える電極付の一対の手袋において、
一方の手袋本体に取り付けられた前記操作部が、
他方の手袋本体の前記操作部へ他方の手袋本体の電極への給電及び給電モードの制御信号を送信する送信部を備え、
他方の手袋本体に取り付けられた前記操作部が、
前記制御信号を受信する受信部を備え、前記制御信号に対応して他方の手袋本体の電極への給電及び給電モードの制御を行うこと
を特徴とする電極付手袋。
【請求項２】
前記制御信号が、無線通信によって送受信されること
を特徴とする請求項１に記載の電極付手袋。
【請求項３】
前記無線通信は赤外線による光通信であること
を特徴とする請求項２に記載の電極付手袋。
【請求項４】
前記操作部が、前記電極への給電パターンを示すパターン情報を保持するメモリ部を
さらに備え、
前記送信部及び受信部は、前記パターン情報が含まれた前記制御信号を送受信すること
を特徴とする請求項１ないし３のいずれか１項に記載の電極付手袋。
【請求項５】
前記操作部が、計時するタイマをさらに備え、かつ前記給電パターンとして、前記タイマ部が計時した第１の時間毎に間欠的に前記電極に給電する第１のパターンと、前記第１の時間よりも長い第２の時間で前記電極に給電し続ける第２のパターンと、前記第１のパターン及び第２のパターンを組み合わせた第３のパターンのいずれかで前記電極への給電制御を行うこと
を特徴とする請求項４に記載の電極付手袋。
【請求項６】
前記操作部は、前記電極へ給電する電源を内蔵すること
を特徴とする請求項１ないし５のいずれか１項に記載の電極付手袋。
【請求項７】
前記電極が銀糸で構成されていること
を特徴とする請求項１ないし６のいずれか１項に記載の電極付手袋。
【請求項８】
前記操作部が、前記給電モードとして、波高が一定の複数のパルス性の電流を連続して流す第１の期間と、パルス性の電流が流されない第２の期間とを相互に繰り返す第１のモードと、時間の経過に伴い波高が小さくなる複数のパルス性の電流を連続して流す第３の期間と、パルス性の電流が流されない第４の期間とを相互に繰り返す第２のモードとのどちらか一方で前記電極に対する給電を制御すること
を特徴とする請求項１ないし７のいずれか１項に記載の電極付手袋。
【請求項９】
前記操作部が、前記給電モードとして、一方の前記手袋本体に設けられた電極への給電がＯＮの場合、他方の手袋本体に設けられた電極への給電をＯＦＦにする第３のモードと、前記一対の手袋本体に設けられた電極への給電が同一タイミングでＯＮ・ＯＦＦされる第４のモードとのどちららか一方で前記電極に対する給電を制御すること
を特徴とする請求項１ないし８のいずれか１項に記載の電極付手袋。
【発明の詳細な説明】
【技術分野】
【０００１】
本発明の実施形態は人体の任意の部位に接触させた電極にパルス性の微弱電流を流し、筋肉を電気的に刺激してトリートメントを行う際に用いられる電極付手袋に関する。
【背景技術】
【０００２】
従来、人体の任意の部位に一対の電極を接触させ、この電極にパルス性の微弱電流を流して、筋肉を収縮運動（ＥＭＳ：電気的筋肉刺激）させることにより、リンパ液の流れの促進、疲労回復等のトリートメントを行うパルス健康器が知られている。
このようなパルス健康器は、トリートメントの方法や施術対象の対象部位によりさまざまな形状のものが用いられており、その一つとして一対の手袋形状の本体の手の平にそれぞれ互いに異極となる電極を取付け、これらの電極に対して制御部で所定のモードとされたパルス性の電流を通電するものが提案されている（例えば、特許文献１参照）。
【先行技術文献】
【特許文献】
【０００３】
【特許文献１】特開２００４−１０５５７９号公報
【発明の概要】
【発明が解決しようとする課題】
【０００４】
上記したような手袋形状のパルス健康器においては、パルス性の電流が、各手袋の電極にそれぞれ独立したタイミングで供給されている。このように、互いに独立したタイミングで、パルス性の電流が供給された場合には、各電極に供給されるパルス性の電流のＯＮ・ＯＦＦのタイミングが、左右の手袋でわずかにずれてしまうことがあった。
それぞれの電極へのパルス性の電流ＯＮ・ＯＦＦのタイミングが、互いに一致している場合または、正逆互いに異なる場合には、電気刺激の施術を受ける者は、それを調和のとれた心地よいリズムとして感じる場合が多い。
【０００５】
上記したように、パルス性の電流のＯＮ・ＯＦＦのタイミングのタイミングが、左右でわずかにずれている場合には、電気刺激の施術を受ける者は違和感を覚え、所期の施療効果が得られないという問題があった。
本発明は、このような事情を考慮してなされたものであり、各手袋の電極に供給されるパルス性の電流を左右の手袋で所定のタイミングで通電可能とすることにより、多様な電気信号を筋肉に与えることを可能とした電極付手袋を提供することを目的とする。
【課題を解決するための手段】
【０００６】
実施形態の電極付手袋は、それぞれ少なくとも表面の一部に導電材料で形成された電極を有する一対の手袋本体と前記手袋本体に取り付けられ前記電極への給電及び給電モードの制御を行う操作部とを備える電極付の一対の手袋において、一方の手袋本体に取り付けられた前記操作部が、他方の手袋本体の前記操作部へ他方の手袋本体の電極への給電及び給電モードの制御信号を送信する送信部を備え、他方の手袋本体に取り付けられた前記操作部が、前記制御信号を受信する受信部を備え、前記制御信号に対応して他方の手袋本体の電極への給電及び給電モードの制御を行うことを特徴とする。
【０００７】
例えば、制御信号は、赤外線などの無線通信によって送受信される。電極への給電パターンを示すパターン情報を保持するメモリ部を備え、前記送信部及び受信部は、前記パターン情報が含まれた前記制御信号を送受信することが望ましい。前記操作部が、計時するタイマを備え、かつ前記給電パターンとして、前記タイマ部が計時した第１の時間毎に間欠的に前記電極に給電する第１のパターンと、前記第１の時間よりも長い第２の時間で前記電極に給電し続ける第２のパターンと、前記第１のパターン及び第２のパターンを組み合わせた第３のパターンのいずれかで前記電極への給電制御を行うことが望ましい。
【０００８】
前記操作部は、前記電極へ給電する電源を内蔵することができる。前記電極が銀糸で構成されることが望ましい。操作部が、前記給電モードとして、波高が一定の複数のパルス性の電流を連続して流す第１の期間と、パルス性の電流が流されない第２の期間とを相互に繰り返す第１のモードと、時間の経過に伴い波高が小さくなる複数のパルス性の電流を連続して流す第３の期間と、パルス性の電流が流されない第４の期間とを相互に繰り返す第２のモードとのどちらか一方で前記電極に対する給電を制御することが望ましい。
【０００９】
前記操作部が、前記給電モードとして、一方の前記手袋本体に設けられた電極への給電がＯＮの場合、他方の手袋本体に設けられた電極への給電をＯＦＦにする第３のモードと、前記一対の手袋本体に設けられた電極への給電が同一タイミングでＯＮ・ＯＦＦされる第４のモードとのどちららか一方で前記電極に対する給電を制御することが望ましい。
【発明の効果】
【００１０】
本発明によれば、各手袋の電極に供給されるパルス性の電流を左右の手袋で所定のタイミングで通電可能とすることにより、多様な電気信号を筋肉に与えることを可能とした電極付手袋を提供することができる。
【図面の簡単な説明】
【００１１】
【図１Ａ】電極付手袋の１実施形態の表面を示す図。
【図１Ｂ】電極付手袋の１実施形態の裏面を示す図。
【図２】操作部３０ａの１実施形態を示す図。
【図３】動作モードを示す図。
【図４】回路基板７０ａの機能的な構成を示す図。
【図５】一対の手袋本体２ａ，２ｂの動作を表すシーケンス図。
【図６】電流のＯＮ・ＯＦＦの同期を示す図。
【図７】電流のＯＮ・ＯＦＦの正逆を示す図。
【発明を実施するための形態】
【００１２】
［実施形態］
以下、本発明の実施形態を図面に基づき説明する。図１Ａ、図１Ｂは本発明の電極付手袋の１実施形態を示すものである。
（電極付手袋１）
同図において、電極付手袋１は、薄く可撓性が良好な導電材料を縫製して主要な部分とした一対の手袋本体２ａ，２ｂと、この一対の手袋本体２ａ，２ｂのそれぞれの手の甲側に固定される操作部３０ａ，３０ｂから主に構成される。電極付手袋１は、一対の手袋本体２ａ，２ｂの電極部分を人体の任意の箇所に押し付けることにより電気的な刺激を人間の皮膚や筋肉に与えて、人体に多様な健康増進作用を与える。
電極付手袋１では、操作部３０ａ，３０ｂを備えることによって、あらかじめ設定したモードで手袋本体２ａ，２ｂが備える面状電極部３ａ，４ａ、３ｂ，４ｂにパルス性の電流をタイミングよく供給し、心地よい電気的刺激を電気刺激の施術を受ける者に与えることが可能となる。
電極付手袋１や操作部３０ａ，３０ｂには防水加工が施されることが望ましい。防水加工によって、例えば入浴中であってもパルス性の電流による電気的刺激を皮膚や筋肉に与えることが可能となる。
【００１３】
（手袋本体２ａ，２ｂ）
手袋本体２ａ，２ｂはどちらも同様の機能・構成を備えるので、説明をわかりやすくするために、ここでは手袋本体２ａについて詳細に説明する。
手袋本体２ａは、銀糸などを縫製して形成された面状電極部３ａ，４ａと、ナイロンなどを縫製して形成された絶縁部９ａを有する。手袋本体２ａは、面状電極部３ａ，４ａが絶縁部９ａにそれぞれ離間されて縫い付けられることで形成される。
面状電極部３ａ，４ａを銀糸の織物で形成することによって抗菌、防臭効果が期待できる。この銀糸の使用量を多くすることで。さらなる抗菌効果などの向上、保湿作用、電気刺激の施術を受ける者の肌へのストレスの低減など種々の効果を期待できる。
【００１４】
図１Ｂに示すように面状電極部３ａは親指部分である。面状電極部３ａは、手袋本体２ａの手の平側の表面の、親指の指先から、親指の付根付近の膨らみ部分の一部として形成される。面状電極部３ａの親指の付根付近の膨らみ部分にはリード配線５ａが接続される（図１Ａ参照）。
面状電極部４ａは、それぞれ独立して動かすかすことが可能な人差し指部分から小指分である。図１Ｂに示すように、面状電極部４ａは、手袋本体２ａの手の平側の表面の親指以外の４本の指のとして形成される。面状電極部４ａは、小指の基部に連接する部分が、手袋本体２ａの小指側の側面に沿って手首の方へ向けて延設されている。この延設部分には、リード配線６ａが接続される（図１Ａ参照）。なお、これらの指の部分は必要に応じて３本指やまたはミトンタイプのものとしてもよい。
【００１５】
絶縁部９ａは、手のひらや手の甲などの残りの部分である。絶縁部９ａの手の甲側に操作部３０ａが固着される。
絶縁部９ａの手首部分には、マジックテープ（登録商標）８ａによって係止されるベルト７ａが配設されている。ベルト７ａによって、施術者（使用者）の手から手袋本体２ａが脱げてしまうことが防止される。
リード配線５ａ，６ａは、絶縁部９ａの内面または表面に配置され、操作部３０ａと面状電極部３ａ，４ａとを電気的に接続する。リード配線５ａ，６ａを介して、面状電極部３ａ，４ａに直流電圧または交番電圧のどちらかが印加される。結果として、面状電極部３ａ，４ａ間にパルス性の電流が流れる。
【００１６】
以上が手袋本体２ａの説明である。手袋本体２ａは合成皮革、合成樹脂をコーティングした布地などの電気絶縁材料で構成してもよい。この場合には、面状電極部３ａ，４ａは、手袋本体２ａに導電性の金属の薄板、金属ラミネートフィルム、布地にカーボンインクのような導電塗料を印刷したもの（カーボン印刷）、カーボンシート、導電性ゴム、シリコンなどを縫い付けたり、ホットメルト接着剤で固着したりすることで形成される。
手袋本体２ｂは、手袋本体２ａが備える面状電極部３ａ，４ａ〜絶縁部９ａに対応する機能・構成を備える面状電極部３ｂ，４ｂ〜絶縁部９ａを有する。面状電極部３ｂ，４ｂには、操作部３０ｂが電気的に接続される。
【００１７】
（操作部３０ａ，３０ｂ）
次に図２を用いて操作部３０ａ，３０ｂについて説明する。図２は、操作部３０ａの実施形態を示す図である。操作部３０ａ，３０ｂはどちらも同様の機能・構成を備えるので、説明をわかりやすくするために、ここでは操作部３０ａについて詳細に説明し、操作部３０ｂについては詳細な説明は省略する。
図２において、操作部３０ａは、面状電極部３ａ，４ａにパルス性の電流を供給する電流制御装置である。操作部３０ａは、施術者によって押圧操作などの圧力がかかるため、プラスチックなどの弾性及び剛性に優れた素材で形成されることが望ましい。
操作部３０ａは、丸みのある略三角形状をなし、一つの頂点部に対応する側面には、電源・切替スイッチ５０ａが配設され、他の一つの頂点部に対応する側面には、レベル調節ボタン５２ａが配設されている。
【００１８】
操作部３０ａには、確認ランプ５３ａ〜５５ａ、電源としての電池６１ａ、面状電極部３ａ，４ａへ電力を供給してパルス性の電流を流す制御回路などが形成された回路基板７０ａが搭載されている。
操作部３０ａの表面には透光性の領域３１ａが形成されている。この領域３１ａから確認ランプ５３ａ〜５５ａの光が視認できる。操作部３０ａの裏面には、各リード配線５ａ，６ａに電気的に接続される電極端子が設けられている（図示せず。）。
電源・切替スイッチ５０ａは、電源をＯＮ・ＯＦＦする場合と、動作モードを切替える場合に使用される。電源・切替スイッチ５０ａを１秒以上押し続ける（所謂「長押し」する）ことで電源がＯＮ・ＯＦＦされる。電源・切替スイッチ５０ａを一回押し込みすぐに押し込み動作をやめる（所謂「短押し」する）ことで、動作モードが順次切り替えられる。
【００１９】
ここで、図３を用いて動作モードについて説明する。図３は動作モードを示す図である
動作モードの一つは、図３（ａ）に示すように、面状電極部３ａ，４ａに対して一定時間ごとに同じ波高の複数のパルス性の電流が流される期間（図３中の「ｔａ１」参照。）と、この電流が流される期間ｔａ１と時間的に同じ長さのパルス性の電流が流されない期間（図３中の「ｔａ２」参照）が交互に入れ替わるものである（図３中の「ｔａ３」、「ｔａ４」参照）。このモードは第１のモードであり、ここで説明する電流が流される期間ｔａ１及び電流が流されない期間ｔａ２は、第１のパターンである。
このモードでは、電気刺激の施術を受ける者はトン、トン、トン、トン…という一定のリズムを知覚する。このモードは、例えば腹筋などの比較的筋肉量が多い部位に対して施術を行うことを想定しており、施術者が直観的に理解しやすいように「エクサモード」と称されることがある（以下の説明では、このモードを「エクサモード」と称す。）。
【００２０】
図３（ｂ）及び図３（ｃ）は、図３（ａ）に示したパルス性の電流のＯＮ・ＯＦＦの変形例である。
図３（ｂ）に示すように、面状電極部３ａ，４ａに対してパルス性の電流が流される期間（図３中の「ｔｂ１」、「ｔｂ３」参照。）とパルス性の電流が流されない期間（図３中の「ｔｂ２」、「ｔｂ４」参照。）を交互に繰り返すように構成することもできる。電流が流される期間ｔｂ１、ｔｂ３は、それぞれ図３（ａ）の電流が流される期間ｔａ１、ｔａ３に対応する期間である。ここでは、電流が流される期間ｔｂ１、ｔｂ３は、電流が流される期間ｔａ１、ｔａ３よりも時間的に長く設定されている。ここで説明する電流が流される期間ｔａ１及び電流が流されない期間ｔａ２は、第２のパターンである。
電流が流されない期間ｔｂ２、ｔｂ４は、それぞれ図３（ａ）の電流が流されない期間ｔａ２、ｔａ４に対応する期間である。ここでは、電流が流されない期間ｔｂ２は電流が流されない期間ｔａ２と時間的に同程度の長さに設定されている。一方、電流が流されない期間ｔｂ４は、電流が流されない期間ｔａ４よりも時間的に長く設定されている。
【００２１】
以上のように設定された電流が流される期間ｔｂ１〜電流が流されない期間ｔｂ４を繰り返すことで、複雑な刺激を筋肉に与えることができる。なお、電流が流されない期間ｔｂ４を電流が流されない期間ｔｂ２と時間的に同じになるように設定することもできる。
また、図３（ａ）の電流が流される期間ｔａ１、電流が流されない期間ｔａ２、図３（ｂ）の電流が流される期間ｔｂ１、電流が流されない期間ｔｂ２を交互に繰り返す第３のパターンでパルス性の電流を流すようにしてもよい。
図３（ｃ）に示すように、パルス性の電流が流されない期間（図３中の「ｔｃ３」参照）を挟みながら、パルス性の電流を流す方向を一定の時間毎（図３中の「ｔｃ１」，「ｔｃ２」参照。）に切り替えてもよい。この場合には、パルス性の電流が流される一方の期間ｔｃ１では、例えば面状電極部３ａが正極、面状電極部４ａが負極となる。そしてパルス性の電流が流される他方の期間ｔｃ２では、例えば面状電極部３ａが負極、面状電極部４ａが正極となる。
【００２２】
動作モードの一つは、図３（ｄ）に示すように、面状電極部３ａ，４ａに対して時間の経過に伴って波高が小さくなっていく複数のパルス性の電流がＯＮにされる期間（図３中の「ｔｄ１」参照。）と、パルス性の電流がＯＦＦにされる期間（図３中の「ｔｄ２」参照）が交互に入れ替わるものである。電流が流される期間ｔｄ１と電流が流されない期間ｔｄ２は、時間的に同じ長さでもよいし、異なる長さでもよい。このモードは第２のモードである。
このモードでは、電気刺激の施術を受ける者は、例えば肩などを揉まれたときのようなギュー、ギュー…という力が急激に強まった後に、力が緩やかに弱くなるリズムを知覚する。このモードは「エクサモード」よりも強度の強い刺激を筋肉に与えることを想定している。したがって、パルス電流の最大波高が「エクサモード」のときの最大波高よりも大きいものとなるように制御される。このモードは、施術者が直観的に理解しやすいように「揉み出しモード」と称されることがある（以下の説明では、このモードを「揉み出しモード」と称す。）。
【００２３】
図３（ｅ）は、図３（ｄ）に示したパルス性の電流のＯＮ・ＯＦＦの変形例である。
図３（ｅ）に示すように、面状電極部３ａ，４ａに対してパルス性の電流が流される期間（図３中の「ｔｅ１」参照。）において、時間の経過に伴ってパルス性の電流の波高が小さくなっていった後、次第に大きくなるように構成することもできる。そして、この電流が流される期間ｔｅ１とパルス性の電流が流されない期間（図３中の「ｔｅ２」参照。）を繰り返す。
【００２４】
動作モードの一つは、上記した「エクサモード」と「揉み出しモード」を組み合わせたものである。この場合には、例えば、図３（ａ）に示した電流が流される期間ｔａ１、パルス性の電流が流されない期間ｔａ２、図３（ｄ）に示した電流が流される期間ｔｄ１、パルス性の電流が流されない期間ｔｄ２を順に繰り返すように構成することが望ましい。
このモードは、「エクサモード」と「揉み出しモード」よりも強度の弱い刺激を顔などの筋肉に与えることを想定しており、パルス性の電流の最大波高が「エクサモード」と「揉み出しモード」のときの最大波高よりも小さいものとなるように制御されることが望ましい。このモードは、施術者が直観的に理解しやすいように「フェイスモード」と称されることがある（以下の説明では、このモードを「フェイスモード」と称す。）。
【００２５】
以上が、動作モードの説明である。面状電極部３ａ，４ａに対して流されるパルス性の電流は、さらに種々の変形・変更が可能である。例えば、各動作モードにおいて、図３（ｆ）に示すような波形となるように、パルス性の電流を面状電極部３ａ，４ａに流すようにしてもよい。
図３（ｆ）に示す波形は、低周波、中周波、高周波の成分を含んだ複合波である。ここで、「低周波」とは５〜５０Ｈｚまでの周波数を指す。一般的にＥＭＳには、低周波が用いられることが多い。「中周波」とは、１ｋＨｚ近傍の周波数を指す。「高周波」は１００ｋＨｚ以上の周波数を指す。中周波及び高周波の電流を筋肉に供給することによって、より深部に電気的な刺激を与えることができるといわれている。
例えば動作モードが「エクサモード」または「揉み出しモード」のときに面状電極部３ａ，４ａに複合波となるパルス性の電流を流すように制御し、「フェイスモード」は低周波となるパルス性の電流を流すように制御するように構成することもできる。
【００２６】
次に、再び図２を参照してレベル調節ボタン５２ａについて説明する。レベル調節ボタン５２ａは、面状電極部３ａ，４ａに流すパルス性の電流のレベル（強弱）を調節するためのスイッチである。パルス電流は、レベル１（弱）〜６（強）までの複数の段階で調整できるようにすることが望ましい。例えば、レベル調節ボタン５２ａを一回押し込む毎にレベルが順次切り替えられるように構成するとよい。
パルス性の電流のレベルは、「エクサモード」、「揉み出しモード」、「フェイスモード」などの各モードにおいてそれぞれ独立して調節されることが望ましい。例えば、「エクサモード」でのレベル６と「フェイスモード」でのレベル６では、「エクサモード」でのレベル６の方が強い電流が流れるように調節されることが望ましい。
以上のようにパルス性の電流のレベルを調節することによって、例えば、ゆったりとしたモードや刺激的なモードなどのトリートメントを自由に設定することができる。
【００２７】
確認ランプ５３ａ〜５５ａは、ＬＥＤ（Ｌｉｇｈｔ  Ｅｍｉｔｔｉｎｇ  Ｄｉｏｄｅ）などの発光素子である。
確認ランプ５３ａ〜５５ａは、発光面が透光性の領域３１ａ内に収まるように配置される。確認ランプ５３ａ〜５５ａの発光は透光性の領域３１ａから操作部３０ａの外部に照射される。確認ランプ５３ａ〜５５ａは、例えば、スイッチ５０ａによって、電源がＯＮにされた場合に点灯する。この結果、施術者は現在の電源がＯＮ・ＯＦＦの状態を知ることができる。
確認ランプ５３ａは、レベル調節ボタン５２ａ近傍に配置される。確認ランプ５３ａは、レベル調節ボタン５２ａによって設定された現在のレベルを視覚的に表すためのものである。ここでは確認ランプ５３ａは３つのＬＥＤで構成されており、ＬＥＤの点消灯による２進数表示によってレベル１〜６を表現することができる。
【００２８】
確認ランプ５４ａは、透光性の領域３１ａ略中央部に配置された信号送受信部８１ａの近傍に配設される。確認ランプ５４ａの点消灯によって、操作部３０ａの信号モードが表現される。ここで「信号モード」とは、操作部３０ａから操作部３０ｂに対して同期信号を送信する信号送信モードと、操作部３０ｂから操作部３０ａに対して同期信号を送信する信号受信モードのどちらか一方である。
例えば、操作部３０ａが信号送信モードで動作している場合には、確認ランプ５４ａは点灯する。操作部３０ａの「信号モード」は、電極付手袋１の工場出荷時に設定することができる。
確認ランプ５５ａは、電源・切替スイッチ５０ａ近傍に配置される。確認ランプ５５ａは、電源・切替スイッチ５０ａによって設定された現在のモードを表すためのものである。
【００２９】
例えば「エクサモード」のとき、確認ランプ５５ａは赤色で点灯する。例えば「揉み出しモード」のとき、確認ランプ５５ａは青色で点灯する。例えば「フェイスモード」のとき、確認ランプ５５ａは桃色で点灯する。
電池６１ａは、交換可能なボタン型の電池であることが望ましい。電池６１ａは、面状電極部３ａ，４ａやランプ５３ａ〜５５ａへ供給される電力の電源である。
【００３０】
（回路基板７０ａ、回路基板７０ｂ）
図４は、回路基板７０ａの機能的な構成を示す図である。回路基板７０ａは、ＣＰＵ７１ａと、このＣＰＵ７１ａにそれぞれ制御される電源接続部７２ａ、電圧増減部７３ａ、レベル回路７４ａ、操作検知部７５ａ、確認ランプ制御部７６ａなどを備える。さらに回路基板７０ａは、メモリ部７７ａ、出力部７８ａ、タイマ部７９ａ、信号生成部８０ａ、信号送受信部８１ａなどを備える。操作部３０ｂが備える回路基板７０ａに対応する機能・構成を備える回路基板７０ｂは、ＣＰＵ７１ａ〜信号送受信部８１ａに対応する機能・構成を備えるＣＰＵ７１ｂ〜信号送受信部８１ｂを備える（図示せず）。
【００３１】
電源接続部７２ａは、電池６１ａと接続され、電池６１ａを電源として使用するためのユニットである。
電圧増減部７３ａはチョッパ回路を有する。電圧増減部７３ａは、電池６１ａから供給される電圧を昇圧したり、降圧したりする。
レベル回路７４ａでは、電圧増減部７３ａで昇圧または降圧された電圧をパルス制御する。結果として、レベル調節ボタン５２ａの押下操作に対応する所定のレベルのパルス性の電流を面状電極部３ａ，４ａに流すことができる。
操作検知部７５ａは、施術者による電源・切替スイッチ５０ａ、レベル調節ボタン５２ａの押下操作を検知する。
【００３２】
確認ランプ制御部７６ａは、電池６１ａと確認ランプ５３ａ〜５５ａの電気的な接続をＯＮ・ＯＦＦする。この結果確認ランプ５３ａ〜５５ａの点消灯が制御される。
メモリ部７７ａは、面状電極部３ａ，４ａへ供給されるパルス性の電流のＯＮ・ＯＦＦ時間、パルス性の電流の波高に対応する電圧値や電流値、確認ランプ５３ａ〜５５ａの点灯色や点消灯の条件などと、「エクサモード」、「揉み出しモード」、「フェイスモード」などの各動作モードとが対応付けられたテーブルデータを保持する。メモリ部７７ａには、前回の電源ＯＦＦ時のモードやパルス性の電流のレベルの値が保持される。
出力部７８ａは、リード線５ａ，６ａと接続されている。出力部７８ａによって、レベル回路７４ａが調整したレベルのパルス性の電流がリード線５ａ，６ａを介して面状電極部３ａ，４ａに流れる。
【００３３】
タイマ部７９ａはＣＰＵ７１ａによってＯＮ・ＯＦＦを制御されて、時間の経過を計測する。例えば、ＣＰＵ７１ａからタイマ部７９ａに計時のスタートを示す信号が入力される。この計時のスタートを示す信号を受信したタイマ部７９ａは、１秒ごとにＣＰＵ７１ａに対して計時信号を出力する。この計時信号をカウントすることによって、ＣＰＵ７１ａは計時が何秒カウントしたのかを検知することができる。
タイマ部７９ａは、数秒（例えば５秒）ごとにＣＰＵ７１ａに対して計時信号を出力するようにしてもよい。タイマ部７９ａは、計時をストップさせる信号をＣＰＵ７１ａから受信するまで、計時を継続する。ＣＰＵ７１ａは、タイマ部７９ａに対してリセット信号を送信することで、タイマ部７９ａによる計時を０に戻すことができる。
【００３４】
信号生成部８０ａは、面状電極部３ａ，４ａ及び面状電極部３ｂ，４ｂに流されるパルス性の電流のＯＮ・ＯＦＦのタイミングを一致または真逆となるように制御するための同期信号を生成する。パルス性の電流のＯＮ・ＯＦＦのタイミングが真逆となる状態は第３のモードである。パルス性の電流のＯＮ・ＯＦＦのタイミングが一致する状態は第４のモードである。
信号生成部８０ａが生成する信号は、無線通信用の信号である。信号生成部８０ａが生成する無線通信用の信号は、例えば赤外線信号である。赤外線信号の他にもＢｌｕｅｔｏｏｔｈ（登録商標）信号に代表されるような近距離電波通信規格に沿った信号を生成するように信号生成部８０ａを構成してもよい。
信号送受信部８１ａは、信号生成部８０ａが生成した無線通信用の信号を送信する。信号送受信部８１ａは、信号生成部８０ｂが生成した無線通信用の信号を受信することもある。
【００３５】
（動作説明）
次に、図５、図６を参照して、一対の手袋本体２ａ，２ｂの動作を説明する。図５は、手袋本体２ａ，２ｂの動作を表すシーケンス図である。図６は、パルス性の電流のＯＮ・ＯＦＦの同期を示す図である。
（１）手袋本体２ａのスイッチＯＮの検知（ステップＳ１０１）
図５に示すように、ＣＰＵ７１ａは、施術者によって電源・切替スイッチ５０ａが長押しされたことを検知する。電源・切替スイッチ５０ａが長押しされた場合、ＣＰＵ７１ａは、電池６１ａの電力を供給して確認ランプ５３ａ〜５５ａを点灯させる。なお、このとき確認ランプ５４ａについては、まだ点灯させなくともよい。
【００３６】
ＣＰＵ７１ａは、メモリ部７７ａに保持された前回電源ＯＦＦ時のモードやパルス性の電流のレベルの値を参照し、確認ランプ５３ａ及び確認ランプ５５ａを点灯させる。このとき、手袋本体２ａは前回電源をＯＦＦした時の状態に復帰したことになる。
（２）モード設定の検知（ステップＳ１０２）
ここで、施術者によって電源・切替スイッチ５０ａが１回だけ押されたことを検知した場合には、ＣＰＵ７１ａは、メモリ部７７ａに保持されたテーブルデータを参照して、動作モードを一つ次のモードへと変更する。ＣＰＵ７１ａは、このモードの変更をメモリ部７７ａに保持されたテーブルデータに対して「１：選択中」、「０：非選択中」のフラグ情報を付加することで管理する。
【００３７】
ＣＰＵ７１ａは、選択された動作モードに対応するように、確認ランプ５５ａの点灯色を制御する。
今後、電源・切替スイッチ５０ａが１回押される毎にＣＰＵ７１ａは、ステップＳ１０２の制御を行う。
（３）レベル調整の検知（ステップＳ１０３）
施術者によってレベル調節ボタン５２ａが押されたことを検知した場合には、ＣＰＵ７１ａは、メモリ部７７ａに保持されたテーブルデータを参照して、各動作モードに対応するパルス性の電流のレベルを１〜６の間で順次切り替える。
【００３８】
ＣＰＵ７１ａは、モードの変更の管理と同様に、パルス性の電流のレベルの変更をメモリ部７７ａに保持されたテーブルデータに対して「１：選択中」、「０：非選択中」のフラグ情報を付加することで管理する。
ＣＰＵ７１ａは、選択されたパルス性の電流のレベルに対応するように、確認ランプ５３ａの点灯を制御する。
（４）パルス性の電流を流す準備（ステップＳ１０４）
ＣＰＵ７１ａは、設定された動作モード及びレベルに対応するパルス性の電流が、面状電極部３ａ，４ａに流れるように電圧増減部７３ａなどを制御する。ＣＰＵ７１ａは、タイマ部７９ａを制御して時間を計時させる。
タイマ部７９ａによる計時によって、ＣＰＵ７１ａは選択された動作モードに対応するパルス性の電流の面状電極部３ａ，４ａへの供給のＯＮ・ＯＦＦの期間を正確に制御することができる。
【００３９】
ここで施術者が、面状電極部３ａ，４ａを電気刺激の施術を受ける者（自分または他人）の皮膚に押し当てた場合、選択された動作モードに対応するパルス性の電流が電気刺激の施術を受ける者の皮膚や筋肉に流れる。
（５）同期信号生成及び送信（ステップＳ１０５、Ｓ１０６）
レベル調節ボタン５２ａの押下によるパルス性の電流のレベルの設定の終了後、ＣＰＵ７１ａは、信号生成部８０ａを制御して、同期信号を生成させ、信号送受信部８１ａを介して外部に同期信号を送出する。このとき、同期信号は数秒（例えば５秒）間隔で送出されるものとする。同期信号の立ち上がりは、例えば１期間内(図６の期間「ｔａ１」参照)の中の一番先頭のパルス性の電流の立ち上がり時間と対応する。
【００４０】
このステップＳ１０５、Ｓ１０６の動作をステップＳ１０１の動作と同時にＣＰＵ７１ａがタイマ部７９ａを制御して計時を行わせ、所定の時間が経過した段階で自動的に行うようにしてもよい。
（６）手袋本体２ｂのスイッチ動作（ステップＳ１０７〜Ｓ１０９）
ステップＳ１０１〜Ｓ１０５の各ステップのいずれか終了後の任意のタイミングで、施術者によって手袋本体２ｂの電源・切替スイッチ５０ｂが長押しされることで、ＣＰＵ７１ｂは、電池６１ｂの電力を供給して確認ランプ５３ｂ〜５５ｂを点灯させる。以下、ＣＰＵ７１ｂは、ステップＳ１０２〜Ｓ１０３と対応する制御を行う。ここでは手袋本体２ｂは、手袋本体２ａと同様の動作モード、パルス性の電流のレベルに設定されるものとする。
【００４１】
（７）同期信号生受信（ステップＳ１１０）
ここで施術者によって、信号送受信部８１ａ及び信号送受信部８１ｂが対面するように、手袋本体２ａ，２ｂの透光性の領域３１ａ、３１ｂが近接されると赤外線通信によって信号送受信部８１ａ、８１ｂ間で同期信号が送受信される。
なお、信号送受信部８１ａ、８１ｂがＢｌｕｅｔｏｏｔｈ（登録商標）などの近距電波通信用信号を送受信可能な場合には、信号送受信部８１ａ及び信号送受信部８１ｂを対面させる必要はない。
（８）パルス性の電流を流す準備（ステップＳ１１１）
ＣＰＵ７１ｂは、同期信号を受信するとすぐに設定された動作モード及びレベルに対応するパルス性の電流が、面状電極部３ｂ，４ｂに流れるように電圧増減部７３ｂなどを制御する。
【００４２】
この結果、図６に示すように、ほぼタイムラグがないように、面状電極部３ａ、３ｂ及び面状電極部３ｂ，４ｂに対するパルス性の電流のＯＮ・ＯＦＦのタイミングが同期される。
なお図６では、図３（ａ）に対応するパルス性の電流について図示しているが、図３（ｂ）〜（ｆ）に示したようなパルス性の電流についても同様にＯＮ・ＯＦＦのタイミングが同期される。
なおこの状態のときに、レベル調節ボタン５２ａまたはレベル調節ボタン５２ｂが押下された場合、このパルス性の電流のＯＮ・ＯＦＦのタイミングの同期は解除される。
【００４３】
（使用例及び効果）
以上のようにパルス性の電流のＯＮ・ＯＦＦのタイミングが同期された電極付手袋１によるトリートメントについて説明する。
まず、電気的刺激の施術を受ける者のトリートメントしたい部分に電極付手袋１の面状電極部３ａ，４ａ及び面状電極部３ｂ，４ｂが設けられている手の平側を接触させる。または、細かい部分のトリートメントにおいては、例えば親指と人差し指の面状電極部３ａ，４ａ及び面状電極部３ｂ，４ｂを少し離して接触させる。これらの接触によって体内をパルス性の電流が流れる。
【００４４】
手袋本体２ａの面状電極部３ａ，４ａと手袋本体２ｂの面状電極部３ｂ，４ｂでは、パルス性の電流のＯＮ・ＯＦＦのタイミングが同期されているので、手袋本体２ａと接触する皮膚の直下の筋肉に対する刺激と手袋本体２ｂと接触する皮膚の直下の筋肉に対する刺激が同期される。
例えば「エクサモード」のように、トン、トン、トン、トン…という一定のリズムが知覚されるモードでは、手袋本体２ａと手袋本体２ｂとで電気的刺激のリズムが同期することになり、電気的刺激の施術を受ける者は心地よさを感じる。
肌面上の手袋本体２ａ，２ｂの距離が近い場合には、筋肉の刺激方向が同期される。この結果、筋肉をより大きく、より効率的に収縮運動させることができる。
【００４５】
以上が、電極付手袋１の使用例及び主な効果の説明である。
ここで、「フェイスモード」では、パルス性の電流のＯＮ・ＯＦＦのタイミングを同期させないようにしてもよい。この場合、電気刺激の施術を受ける者が一定のリズムに慣れて、肌や筋肉のトリートメントの施術に飽きてしまうことを防止することができる。
【００４６】
[変形例１]
この実施形態では、手袋本体２ｂの動作モード及びパルス性の電流のレベルが、電気的刺激を施術する者の手によって手袋本体２ａと同様に設定されている場合について説明したが、電気的刺激を施術する者が手袋本体２ｂの動作モード及びパルス性の電流のレベルを手袋本体２ａと異なったものに設定する場合がある。
この場合には、ＣＰＵ７１ｂは同期信号を受信しても、パルス性の電流のＯＮ・ＯＦＦのタイミングは同期されない。このような非同期の制御は、信号生成部８０ａが「エクサモード」や「揉み出しモード」などの各モードに対応してそれぞれ異なる同期信号を生成し、またメモリ部７７ｂが各モードに対応して生成される同期信号を示す情報を、各モードに対応させたテーブルデータとしてあらかじめ保持しているように構成することで実現される。
【００４７】
ＣＰＵ７１ｂは、メモリ部７７ｂに保持されたテーブルデータを参照して、受信した同期信号が、現在の操作部３０ｂの動作モードに対応する同期信号であるか否かを判定する。
判定の結果、受信した同期信号が、現在の操作部３０ｂの動作モードと一致しているものの場合にはパルス性の電流のＯＮ・ＯＦＦのタイミングを同期させ、不一致の場合には同期させないようにすればよい。
さらにこのＣＰＵ７１ｂの判定において、パルス性の電流のレベルを加味してもよい。パルス性の電流のレベルを加味する場合には、信号生成部８０ａは、レベル調節ボタン５２ａにて設定されたレベルを示すレベル情報を含む同期信号を生成する。
【００４８】
ＣＰＵ７１ｂは、受信したレベル情報を含む同期信号同とメモリ部７７ｂに保持されたテーブルデータを参照して、受信した同期信号が、現在の操作部３０ｂの動作モードと一致しているか否か、現在の操作部３０ｂで設定されているパルス性の電流のレベルと一致しているか否かを判定する。ＣＰＵ７１ｂは、判定の結果現在の操作部３０ｂの動作モード及び設定されたパルス性の電流のレベルとが受信した同期信号に含まれる各情報と一致している場合には、パルス性の電流のＯＮ・ＯＦＦのタイミングを同期させ、どちらか一方でも不一致の場合には同期させないようにすればよい。
【００４９】
[変形例２]
この実施形態では、手袋本体２ａから手袋本体２ｂに対して、同期信号を送信する場合を説明したが、手袋本体２ｂから手袋本体２ａに対して送信してもよい。同期信号の送信側または受信側を設定するためのスイッチを操作部３０ａ，３０ｂに設けることもできる。
【００５０】
[変形例３]
この実施形態では、面状電極部３ａ，４ａ及び面状電極部３ｂ，４ｂへのパルス性の電流のＯＮ・ＯＦＦのタイミングを同期（すなわちの一致）させる場合を説明したが、図７に示すように面状電極部３ａ，４ａ及び面状電極部３ｂ，４ｂとで、パルス性の電流のＯＮ・ＯＦＦのタイミングを真逆にするように構成してもよい。この場合、面状電極部３ｂ，４ｂのパルス性の電流のＯＮのタイミングは、面状電極部３ａ，４ａのパルス性の電流のＯＦＦのタイミングに対応する。
この場合、ＣＰＵ７１ｂは、同期信号の受信と同時にタイマ部７９ｂを制御して計時を行わせる。そしてタイマ部７９ｂの計時時間の通知を受けて、パルス性の電流が、面状電極部３ｂ，４ｂに流れるように電圧増減部７３ｂなどを制御する。ここで「タイマ部７９ｂの計時時間」を示す情報はメモリ部７７ｂに保持されているものとする。
面状電極部３ａ，４ａ及び面状電極部３ｂ，４ｂへのパルス性の電流のＯＮ・ＯＦＦのタイミングが真逆になる場合にも、トリートメントを受ける者は心地よいリズムとして電気的刺激を感じることができる。
なお図７では、図３（ａ）に対応するパルス性の電流について図示しているが、図３（ｂ）〜（ｆ）に示したようなパルス性の電流についても同様である。
【符号の説明】
【００５１】
１…電極付手袋、２ａ，２ｂ…手袋本体、３ａ，４ａ，３ｂ，４ｂ…面状電極部、５３ａ〜５５ａ…確認ランプ、５ａ，６ａ…リード配線、７ａ，７ｂ…ベルト、８ａ，８ｂ…マジックテープ（登録商標）、９ａ…絶縁部、３０ａ，３０ｂ…操作部、５０ａ，５０ｂ…電源・切替スイッチ、５２ａ，５２ｂ…レベル調節ボタン、６１ａ，６１ｂ…電池、７０ａ，７０ｂ…回路基板、７１ａ，７１ｂ…ＣＰＵ、７２ａ，７２ｂ…電源接続部、７３ａ，７３ｂ…電圧増減部、７４ａ，７４ｂ…レベル回路、７５ａ，７５ｂ…操作検知部、７６ａ，７６ｂ…確認ランプ制御部、７７ａ，７７ｂ…メモリ部、７８ａ，７８ｂ…出力部、７９ａ，７９ｂ…タイマ部、８０ａ，８０ｂ…信号生成部、８１ａ，８１ｂ…信号送受信部。
【図１Ａ】
2013208360.tif 000003
【図１Ｂ】
2013208360.tif 000004
【図２】
2013208360.tif 000005
【図３】
2013208360.tif 000006
【図４】
2013208360.tif 000007
【図５】
2013208360.tif 000008
【図６】
2013208360.tif 000009
【図７】
2013208360.tif 000010